(57)【要約】    【課題】  銀塩フィルムへの撮影画像記録時に設定した撮影サイズの画像をデジタル化して簡単に再現することができる画像処理システムを提供する。    【解決手段】  ＡＰＳフィルム３０２のコマ画像とＡＰＳフィルム３０２の現像時にプリントされるインデックスプリント３０３とを記録するスチルデジタルカメラ３０１と、インデックスプリント３０３から予めＡＰＳフィルム３０２への画像記録時に設定された撮影画像サイズに関する撮影画像サイズデータ３１０を読み取って認識するサイズ認識部３０７と、サイズ認識部３０７により認識した撮影画像サイズデータ３１０を対応する撮影画像データ３１１と関連付けるように記録するサイズ記録部３０８と、サイズ記録部３０８により記録した撮影画像サイズデータ３１０に基づいて撮影画像データ３１１のトリミングを行う画像処理部３１７と、トリミングを施した画像を印刷出力するプリンタ３１９とを有する。【選択図】      図３
2005341151.tif 000002
【特許請求の範囲】
【請求項１】
ユーザの操作により撮影される銀塩フィルムのコマ画像である撮影画像データと前記銀塩フィルムのインデックスプリントの画像であるインデックスプリント画像データとを記録する撮影画像記録手段と、
前記インデックスプリント画像データから前記銀塩フィルムでの撮影時に設定された各コマ画像の撮影画像サイズを読み取って認識する撮影画像サイズ認識手段と、
前記撮影サイズ認識手段により認識した各コマ画像の撮影画像サイズに基づいて対応する撮影画像データのトリミングを行うトリミング手段と、
前記トリミング手段によりトリミングを施した画像を出力する画像出力手段と
を有することを特徴とする画像処理システム。
【請求項２】
前記撮影画像サイズ認識手段により認識した撮影画像サイズデータを対応する撮影画像データと関連付けるように記録する撮影画像サイズ記録手段を更に有することを特徴とする請求項１記載の画像処理システム。
【請求項３】
ユーザの操作により撮影される銀塩フィルムのコマ画像である撮影画像データと前記銀塩フィルムのインデックスプリントの画像であるインデックスプリント画像データとを記録する撮影画像記録手段と、
前記インデックスプリント画像データから前記銀塩フィルムでの撮影時に設定された各コマ画像の撮影画像サイズを読み取って認識する撮影画像サイズ認識手段と、
前記撮影サイズ認識手段により認識した各コマ画像の撮影画像サイズに基づいて対応する撮影画像データのトリミングを行うトリミング手段と、
前記トリミング手段によりトリミングを施した画像を出力する画像出力手段と
を有することを特徴とするデジタルスチルカメラ。
【請求項４】
前記撮影画像サイズ認識手段により認識した撮影画像サイズデータを対応する撮影画像データと関連付けるように記録する撮影画像サイズ記録手段を更に有することを特徴とする請求項３記載のデジタルスチルカメラ。
【請求項５】
ユーザの操作により撮影される銀塩フィルムのコマ画像である撮影画像データと前記銀塩フィルムのインデックスプリントの画像であるインデックスプリント画像データとを記録する撮影画像記録工程と、
前記インデックスプリント画像データから前記銀塩フィルムでの撮影時に設定された各コマ画像の撮影画像サイズを読み取って認識する撮影画像サイズ認識工程と、
前記撮影サイズ認識工程により認識した各コマ画像の撮影画像サイズに基づいて対応する撮影画像データのトリミングを行うトリミング工程と、
前記トリミング工程によりトリミングを施した画像を出力する画像出力工程と
を有することを特徴とする画像処理システムの制御方法。
【請求項６】
前記撮影画像サイズ認識工程により認識した撮影画像サイズデータを対応する撮影画像データと関連付けるように記録する撮影画像サイズ記録工程を更に有することを特徴とする請求項５記載の画像処理システムの制御方法。
【請求項７】
請求項５または６に記載の画像処理システムの制御方法をコンピュータに実現させるためのプログラムコードを有することを特徴とする制御プログラム。
【発明の詳細な説明】
【技術分野】
【０００１】
本発明は、複数の画像が同じ撮影画像サイズで記録される銀塩フィルムから読み取った撮影画像データに対して、前記銀塩フィルムへの画像記録時に設定された撮影画像サイズに従ってトリミングを行う画像処理システム、画像処理システムの制御方法及びそれを実施するための制御プログラムに関する。
【背景技術】
【０００２】
ＡＰＳフィルムには撮影画像サイズが３種類用意されており、ユーザは撮影時にカメラ上で撮影画像サイズを指定して撮影するものである。
【０００３】
しかし、ＡＰＳフィルム上では、全て同一の撮影画像サイズになっており、ＡＰＳフィルムの撮影画像を現像する際は、フィルムスキャナ等を用いてＡＰＳフィルムから撮影画像を取り込み、ＡＰＳフィルムに記録された磁気情報から撮影画像サイズ等のデータを読み取り、指定の画像サイズへトリミングして現像するようになっている。（例えば、特許文献１参照）。
【特許文献１】特開２００２−１４１９５３号公報
【発明の開示】
【発明が解決しようとする課題】
【０００４】
しかしながら、上述した従来技術によれば、フィルムスキャナ等を用いてＡＰＳフィルムから撮影画像を取り込むために処理時間が長く、また、処理内容も複雑である。また、フィルムスキャナ等を用いてＡＰＳフィルムから撮影画像を取り込んだ場合、ＡＰＳフィルム上に記録されている撮影画像サイズのままで、換言するとユーザが銀塩カメラによる撮影時に指定した撮影画像サイズにはトリミングされないまま、デジタル化して取り込まれる。この場合、例えば、取り込まれた画像の端に不要な物体が写っている等、ユーザのイメージ通りの画像が得られない可能性がある。
【０００５】
以上の背景から、デジタルスチルカメラ等を用いてＡＰＳフィルムから撮影画像を取り込む手法が望まれ、その場合、ユーザが銀塩カメラによる撮影時に指定した撮影画像サイズを読み込み、対応する銀塩フィルムから読み込んだ撮影画像を、その撮影画像サイズへトリミングして印刷等の出力に反映されることが望ましい。
【０００６】
ところで、ＡＰＳフィルムは、現像時にインデックスプリントが付いてくる。このインデックスプリントは、画像１コマずつの撮影画像サイズが記録され、また、コマ画像上にはトリミングラインが描かれていることが多い。
【０００７】
本発明は、銀塩フィルムへの撮影画像記録時に設定した撮影サイズの画像をデジタル化して簡単に再現することができる画像処理システム、画像処理システムの制御方法、制御プログラム及び記憶媒体を提供することを目的とする。
【課題を解決するための手段】
【０００８】
上記目的を達成するため、本発明の画像処理システムは、複数の画像が同じサイズで記録される銀塩フィルムから読み取った撮影画像データに対して、前記銀塩フィルムへの画像記録時に設定された撮影画像サイズに従ってトリミングを行う画像処理システムであって、前記銀塩フィルムのコマ画像と前記銀塩フィルムの現像時にプリントされるインデックスプリントとを記録する撮影画像記録手段と、前記インデックスプリントから予め前記銀塩フィルムへの画像記録時に設定された撮影画像サイズに関する撮影画像サイズデータを読み取って認識する撮影画像サイズ認識手段と、前記撮影画像サイズ認識手段により認識した撮影画像サイズデータを対応する撮影画像データと関連付けるように記録する撮影画像サイズ記録手段と、前記撮影画像サイズ記録手段により記録した撮影画像サイズデータに基づいて前記撮影画像データのトリミングを行うトリミング手段と、前記トリミング手段によりトリミングを施した画像を出力する画像出力手段とを有することを特徴とする。
【発明の効果】
【０００９】
本発明によれば、銀塩フィルムへの撮影画像記録時に設定した撮影サイズの画像をデジタル化して簡単に再現することができる。
【発明を実施するための最良の形態】
【００１０】
以下、本発明の実施の形態について、図面を参照しながら説明する。
【００１１】
本発明の特徴は、銀塩フィルムのコマ画像と前記銀塩フィルムの現像時にプリントされるインデックスプリントとを記録し、前記インデックスプリントから予め前記銀塩フィルムへの画像記録時に設定された撮影画像サイズに関する撮影画像サイズデータを読み取って認識し、当該認識した撮影画像サイズデータを対応する撮影画像データと関連付けるように記録し、当該記録した撮影画像サイズデータに基づいて前記撮影画像データのトリミングを行い、当該トリミングを施した画像を出力することである。
【００１２】
（第１の実施の形態）
まず、第１の実施の形態を、図１乃至図４に基づき説明する。
【００１３】
図１及び図２は、本実施の形態に係る画像処理システムのイメージを示す図であり、本実施の形態に係る画像処理システムは、図１のようにデジタルスチルカメラ（撮影画像記録手段）１０１を用いてＡＰＳフィルム（銀塩フィルム）１０２の撮影画像を撮影して撮影画像データ１０３を得ると共に、図２のようにＡＰＳフィルム１０２のインデックスプリント２０１をデジタルスチルカメラ（撮影画像記録手段）１０１を用いて撮影することによって、撮影画像サイズデータ２０２を認識する。そして、得られた処理対象の撮影画像データ１０３に関連付けられた撮影画像サイズデータ２０２に基づいて、当該撮影画像データ１０３の画像処理（トリミング）を実施することにより、撮影時のユーザの意図をより反映した高付加価値の写真画像印刷（出力）結果を提供できるように構成されている。
【００１４】
図３は、本実施の形態に係る画像処理システムの構成を示すブロック図であり、同図において、３００は本実施の形態に係る画像処理システムで、撮影画像記録手段であるデジタルスチルカメラ３０１（図１のデジタルスチルカメラ１０１に対応する）、画像処理装置３１２及びプリンタ（出力手段）３１９を含む構成となっている。
【００１５】
デジタルスチルカメラ３０１は、撮影動作により撮影画像サイズデータ３１０及び撮影画像データ３１１（図１の画像情報１０３に対応する）を取得して出力するものである。デジタルスチルカメラ３０１は、ネガポジ反転部３０４、撮影画像記録部３０５，３０６、撮影画像サイズ認識部３０７及び撮影画像サイズ記録部３０８を備えている。ネガポジ反転部３０４は、ＡＰＳフィルム３０２（図１のＡＰＳフィルム１０２に対応する）の画像の読み取り時にＡＰＳフィルム３０２がネガの場合、ポジへの反転処理を行う。撮影画像記録部３０５は、デジタルスチルカメラ３０１によりＡＰＳフィルム３０２から読み取った撮影画像データ３１１を、画像データ３０９に記録する。撮影画像記録部３０６は、ＡＰＳフィルム３０２の画像のインデックスプリント３０３（図２のインデックスプリント２０１に対応する）を撮影することによって得られた撮影画像サイズデータ３１０を画像データ３０９に記録する。撮影画像サイズ認識部３０７では、撮影画像記録部３０６によって記録された撮影画像サイズデータ３１０からインデックス画像１枚ずつの撮影画像サイズを認識する。撮影画像サイズ記録部３０８では、撮影画像サイズ認識部３０７により認識されたインデックスプリント３０３の画像の撮影枚数分の撮影画像サイズデータ３１０を記録する。
【００１６】
次に、撮影画像サイズ認識部３０７の処理例について、図４を用いて説明する。
【００１７】
図４は、インデックスプリント３０３の１コマの一例を示す図であり、同図において、画像４０１の左側に撮影画像サイズの記号４０２が白抜き文字で表記されている（図４においては、標準モードを示す記号Ｃが表記されている）。ＡＰＳフィルム３０２は、撮影画像サイズとして、標準モード（Ｃ）、ハイビジョンモード（Ｈ）及びパノラマモード（Ｐ）の３種類が用意されている。ＡＰＳカメラ側で撮影画像サイズの切り替えを行っても、ＡＰＳフィルム３０２に記録され且つインデックス表示されるのは、全てハイビジョンモード（Ｈ）タイプである。つまり、一番大きい状態に記録される。また、画像４０１上には、点線で囲まれた部分のトリミング枠４０３が記入されている。
【００１８】
図４のようなインデックスプリント３０３から撮影画像サイズを認識する場合、例えば、画像４０１の左側に表記されている撮影画像サイズの記号４０２を認識する。当該認識した撮影画像サイズは、撮影画像サイズ記録部３０８により、撮影画像サイズデータ３１０として画像データ３０９に記録される。この時、撮影画像記録部３０５と撮影画像サイズ記録部３０８との間で撮影画像データ３１１と撮影画像サイズデータ３１０とが関連付けられ、撮影画像サイズデータ３１０が対応する撮影画像データ３１１のヘッダー部に付加される。
【００１９】
ここで、撮影画像データ３１１とインデックスプリント３０３に写っている複数の画像から対応する画像の撮影画像サイズデータ３１０とを関連付ける方法について説明する。
【００２０】
インデックスプリント３０３には、ＡＰＳフィルム３０２のコマ画像と対応する画像が、ＡＰＳフィルム３０２のコマ画像の順番と同じ順番で配置されている。そのため、例えば、デジタルスチルカメラ３０１によりＡＰＳフィルム３０２からコマ画像を全コマ読み取った場合は、撮影画像データ３１１はインデックスプリント３０３に配置されている画像と同じ順番に撮影画像記録部３０５に記録される。一方、撮影画像サイズデータ３１０はインデックスプリント３０３に配置されている画像の順番と同じ順番に撮影画像サイズ記録部３０８に記録する。以上の性質を用いて、撮影画像記録部３０５と撮影画像サイズ記録部３０８との間で、撮影画像データ３１１と対応する画像の撮影画像サイズデータ３１０を順番に関連付ける。
【００２１】
他にも次のような方法も考えられる。インデックスプリント３０３には通常、画像１コマずつインデックス番号がコマの周辺に順番に記述されている（図４においては不図示）。このインデックス番号を撮影画像サイズの記号４０２とともにサイズ認識部３０７により認識する。そして認識したインデックス番号を、撮影画像サイズデータ３１０と関連付けて記録する。一方、デジタルスチルカメラ３０１を用いてＡＰＳフィルム３０２のコマ画像を一枚一枚撮影すると、撮影画像データ３１１は撮影した順番に番号のついたファイル名で撮影画像記録部３０５に記録保存される。そこで、前述のインデックス番号と同じ数字が記述されたファイル名の撮影画像データ３１１と、前述のインデックス番号と関連した撮影画像サイズデータ３１０を関連付けさせて画像データ３０９に記録する。
【００２２】
あるいは、デジタルスチルカメラ３０１に撮影画像データ３１１のファイル名を指示入力する機能を持たせ、当該インデックス番号とファイル名を合致させるようにファイル名をデジタルスチルカメラ３０１により指示入力してもよい。
【００２３】
以上の方法により、ＡＰＳフィルム３０２から読み取った撮影画像とインデックスプリント３０３に写っている複数の画像から対応する画像の撮影画像サイズデータ３１０とを関連付ける。
【００２４】
尚、画像データ３０９の画像処理装置３１２への供給方法としては、例えば、通信回線を介したデータ転送による供給方法、或いは任意の記録媒体に記録し、画像処理装置３１２に設けた所定の読取装置を介して供給する方法等が可能である。
【００２５】
画像処理装置３１２は、例えば、パーソナルコンピュータから成り、所定のアプリケーションソフトウェアの起動により、デジタルスチルカメラ３０１からの画像データ記録部３０９に記録された撮影画像データ３１１に対して画像処理（トリミング）を施してプリンタ３１９で印刷出力する。
【００２６】
このため、画像処理装置３１２は、リーダ部３１３、撮影画像サイズ解析部３１５、撮影画像解析部３１６を含むデータ解析部３１４、画像処理部３１７及び印刷データ変換部３１８を備えており、これらの構成部の各機能は、上記の所定のアプリケーションソフトウェアの起動により実現される。
【００２７】
リーダ部３１３は、デジタルスチルカメラ３０１からの画像データ３０９を読み取る。データ解析部３１４は、撮影画像サイズ解析部３１５により、リーダ部３１３で得られた画像データ３０９に含まれる撮影画像サイズデータ３１０を解析すると共に、撮影画像解析部３１６により撮影画像データ３１１を解析し、当該解析結果に基づいて、画像のトリミング範囲を選択する。画像処理部３１７は、データ解析部３１４で選択された画像トリミング範囲により、撮影画像データ３１１に対してトリミングを施す。
【００２８】
以上説明したように、本実施の形態に係る画像処理システム３００によれば、ＡＰＳフィルム３０２に記録された撮影画像と共にインデックスプリント３０３をデジタルスチルカメラ３０１により撮影し、インデックスプリント３０３から撮影画像サイズデータ３１１を読み取り、対応する撮影画像を前記読み取った撮影画像サイズデータに従ってトリミングすることにより、ＡＰＳフィルム３０２の撮影画像記録時に設定した撮影画像サイズの画像をデジタル化して簡単に再現することができる。
【００２９】
（第２の実施の形態）
次に、第２の実施の形態を、図５に基づき説明する。
【００３０】
図５は、第２の実施の形態に係る画像処理システムの構成を示すブロック図であり、同図において、上述した第１の実施の形態の図３と同一部分には、同一符号が付してある。
【００３１】
上述した第１の実施の形態では、撮影画像データ、撮影画像サイズの解析及びトリミング処理はパーソナルコンピュータで行い、所定のアプリケーションソフトウェアの起動により、デジタルスチルカメラ３０１からの画像データ３０９の撮影画像データ３１１に対して画像のトリミング処理を施すようにしたが、本実施の形態では、例えば、カメラダイレクト出力形式の場合、プリンタ３１９の内部に対して、画像処理装置３１２の機能を設けるように構成したものである。つまり、撮影画像データ、撮影画像サイズの解析及びトリミング処理は、プリンタ３１９のプリンタドライバの中で行うようにしたものである。この場合、画像処理装置３１２としてパーソナルコンピュータ等を用いる必要はない。
【００３２】
以下、本実施の形態に係る画像処理システムの第１の実施の形態とは異なる部分のみについて説明する。
【００３３】
本実施の形態に係る画像処理システム３００は、図５に示すように、デジタルスチルカメラ３０１及びプリンタ３１９を含む構成としている。プリンタ３１９の内部には、画像処理装置３１２を備えている。この画像処理装置３１２の内部には、リーダ部３１３、データ解析部３１４、画像処理部３１７及び印刷データ変換部３１８を備えており、これらの構成部の各機能は、プリンタ３１９のプリンタドライバの起動により実現される。データ解析部３１４は、撮影画像サイズ解析部３１５及び撮影画像解析部３１６を含む。
【００３４】
画像処理部３１７において、デジタルスチルカメラ３０１から送られた画像データ３０９の撮影画像データ３１１に対し、撮影画像サイズデータ３１０に応じてトリミング処理を施して、プリンタ３１９により印刷出力される。
【００３５】
この場合には、例えば、プリンタ３１９において、画像データ３０９をプリンタ３１９に設けられたカードリーダ等のデータ読取手段（リーダ部３１３の機能に相当）により、メモリカード等の記録媒体または記憶媒体を介して読み取るようにしても良い。
【００３６】
更に、デジタルスチルカメラ３０１とプリンタ３１９とを有線ケーブル、或いは赤外線通信、或いは無線通信により接続し、プリンタ３１９が、デジタルスチルカメラ３０１が保持するメモリカードや内蔵メモリ等から画像データ３０９を読み出すようにしても良い。
【００３７】
（第３の実施の形態）
次に、第３の実施の形態について図６に基づき説明する。
【００３８】
図６は、第３の実施の形態に係る画像処理システムの構成を示すブロック図であり、同図において、上述した第１の実施の形態と同一部分には、同一符号が付してある。
【００３９】
上述した第１の実施形態では、撮影画像データと撮影画像サイズとの関連付けに関する処理をデジタルスチルカメラ３０１内で行うようにしたが、本実施の形態では、上記関連付けに関する処理を、画像処理装置３１２の中で行うようにしたものである。
【００４０】
以下、本実施の形態に係る画像処理システムの第１の実施の形態とは異なる部分のみについて説明する。
【００４１】
本実施の形態に係る画像処理システム３００は、図６に示すように、デジタルスチルカメラ３０１、画像処理装置３１２及びプリンタ３１９を含む構成としている。デジタルスチルカメラ３０１は、ネガポジ反転部３０４、撮影画像記録部３０５，３０６を備えている。
【００４２】
画像処理装置３１２の内部には、リーダ部３１３、データ解析部３１４、画像処理部３１７及び印刷データ変換部３１８を備えている。データ解析部３１４は、撮影画像サイズ解析部３１５及び撮影画像解析部３１６を含み、撮影画像サイズ解析部３１５は、サイズ認識部３０７及びサイズ記録部３０８を、撮影画像解析部３１６は、撮影画像記録部３０５を、それぞれ備えている。
【００４３】
第１の実施形態と同様にＡＰＳフィルム３０２のコマ画像をデジタルスチルカメラ３０１により撮影し、撮影画像データ３１１を撮影画像記録部３０５で記録する。また、インデックスプリント３０３もデジタルスチルカメラ３０１により撮影し、撮影画像サイズデータ３１０として撮影画像記録部３０６で記録する。
【００４４】
撮影画像記録部３０５，３０６により記録された撮影画像データ３１１及び撮影画像サイズデータ３１０は、画像処理装置３１２へ供給される。インデックスプリント３０３の撮影によって得られた撮影画像サイズデータ３１０は、データ解析部３１４の中の撮影画像サイズ解析部３１５に送られ、全コマ画像の撮影画像サイズデータをサイズ認識部３０７で認識し、サイズ記録部３０８で記録される。このサイズ記録部３０８には、１コマ目から最終コマまでの撮影画像サイズに関するデータ（Ｃ、Ｈ、Ｐ等）が入っている。
【００４５】
一方、ＡＰＳフィルム３０２の撮影画像のデジタルスチルカメラ３０１による撮影によって得られた撮影画像データ３１１は、データ解析部３１４の中の撮影画像解析部３１６に送られ、全コマの撮影画像データが撮影画像記録部３０５で記録される。撮影画像記録部３０５に記録されている撮影画像データと、サイズ記録部３０８に記録されている対応画像の撮影画像サイズデータ３１０とを関連付け、撮影画像データ３１１とそれに対応する撮影画像サイズデータ３１０とを画像処理部３１７に送り、撮影画像データ３１１のトリミングを撮影画像サイズデータ３１０に従って行う。
【００４６】
尚、画像処理装置３１２は、上述した第１の実施の形態のように、パーソナルコンピュータから成り、所定のアプリケーションソフトウェアの起動により、デジタルスチルカメラ３０１からの撮影画像データ３１１に対して画像処理（トリミング）を施して、プリンタ３１９で印刷出力する。
【００４７】
（第４の実施の形態）
次に、第４の実施の形態を図７に基づき説明する。
【００４８】
図７は、第４の実施の形態に係る画象処理システムの構成を示すブロック図であり、同図において、上述した第１の実施の形態の図３と同一部分には、同一符号が付してある。
第１の実施形態では、撮影画像データと撮影画像サイズとの関連付けに関する処理をデジタルスチルカメラ３０１内で行うようにしたが、本実施の形態では、上記関連付けに関する処理を、画像処理装置３１２の中で行うようにしたものである。
【００４９】
また、上述した第３の実施の形態では、画像処理装置３１２の機能をパーソナルコンピュータに設け、所定のアプリケーションソフトウェアの起動により、デジタルスチルカメラ３０１から取り込んだ撮影画像データ３１１に対してトリミング処理を施すようにしたが、本実施の形態では、上述した第２の実施の形態のように、カメラダイレクト出力形式として、プリンタ３１９の内部に画像処理装置３１２の機能を設けるように構成したものである。つまり、撮影画像サイズの認識、撮影画像データと撮影画像サイズとの関連付け及びトリミング処理は、プリンタ３１９のプリンタドライバの中で行うようにしたものである。この場合、画像処理装置３１２としてパーソナルコンピュータ等を用いる必要はない。
【００５０】
以下、本実施の形態に係る画像処理システム３００の上述した第１の実施の形態とは異なる部分のみについて説明する。
【００５１】
図７に示すように、画像処理システム３００は、デジタルスチルカメラ３０１及びプリンタ３１９を含む構成としている。プリンタ３１９の内部には、画像処理装置３１２を備えている。この画像処理装置３１２の内部には、リーダ部３１３、データ解析部３１４、画像処理部３１７及び印刷データ変換部３１８を備えており、これらの構成部の各機能は、プリンタ３１９のプリンタドライバの起動により実現される。データ解析部３１４は、撮影画像解析部３１６及び撮影画像サイズ解析部３１５を含み、撮影画像解析部３１６は、撮影画像記録部３０５を、撮影画像サイズ解析部３１５は、サイズ認識部３０７及びサイズ記録部３０８を、それぞれ備えている。
【００５２】
画像処理部３１７おいて、デジタルスチルカメラ３０１から送られた撮影画像データ３１１に対し、撮影画像サイズ解析部３１５のサイズ記録部３０８で記録された撮影画像サイズデータ３１０に応じてトリミング処理を施して、プリンタ３１９により印刷出力される。
【００５３】
また、この場合には、例えば、プリンタ３１９において、撮影画像データ３１１及び撮影画像サイズデータ３１０を、プリンタ３１９に設けられたカードリーダ等のデータ読取手段（リーダ部３１３の機能に相当）により、メモリカード等の記録媒体を介して読み取るようにしても良い。
【００５４】
また、デジタルスチルカメラ３０１とプリンタ３１９とを有線ケーブル、或いは赤外線通信、或いは無線通信により接続し、プリンタ３１９が、デジタルスチルカメラ３０１が保持するメモリカードや内蔵メモリ等から撮影画像データ３１１及び撮影画像サイズデータ３１０を読み出すようにしても良い。
【００５５】
（第５の実施の形態）
次に、第５の実施の形態を図８に基づき説明する。
【００５６】
図８は、第５の実施の形態に係る画像処理システムの構成を示すブロック図であり、同図において、上述した第１の実施の形態の図３と同一部分には、同一符号が付してある。
【００５７】
上述した第１の実施の形態では、撮影画像データ、撮影画像サイズの解析及びトリミング処理はパーソナルコンピュータで行い、所定のアプリケーションソフトウェアの起動により、デジタルスチルカメラ３０１からの画像データ３０９の撮影画像データ３１１に対して画像のトリミング処理を施すようにしたが、本実施の形態では、デジタルスチルカメラ３０１の内部に対して、画像処理装置３１２の機能を設けるように構成したものである。つまり、撮影画像データ、撮影画像サイズの解析及びトリミング処理は、デジタルスチルカメラ３０１の内部で行うようにしたものである。この場合、画像処理装置３１２としてパーソナルコンピュータ等を用いる必要はなく、また、プリンタドライバにかかる処理負荷が低減される。
【００５８】
以下、本実施の形態に係る画像処理システムの第１の実施の形態とは異なる部分のみについて説明する。
【００５９】
本実施の形態に係る画像処理システム３００は、図８に示すように、デジタルスチルカメラ３０１及びプリンタ３１９を含む構成としている。デジタルスチルカメラ３０１の内部には、画像処理装置３１２を備えている。この画像処理装置３１２の内部には、データ解析部３１４、画像処理部３１７を備えており、これらの構成部の各機能は、デジタルスチルカメラ３０１の起動により実現される。データ解析部３１４は、撮影画像サイズ解析部３１５及び撮影画像解析部３１６を含む。
【００６０】
画像処理部３１７において、画像データ３０９の撮影画像データ３１１に対し、撮影画像サイズデータ３１０に応じてトリミング処理を施して、トリミング処理を施された撮影画像データ３１１をプリンタ３１９に送る。
【００６１】
（第６の実施の形態）
次に、本実施の形態に係る画像処理システムについて説明する。
【００６２】
上述した第１及び第３の実施の形態において、撮影画像サイズ情報を画像記録後の撮影画像データに付加する際、付加する位置は画像の上下どちらでも良い。
【００６３】
また、例えば、画像処理装置３１２（第３及び第４の実施の形態では画像処理装置３０９）としてパーソナルコンピュータを用いた場合、画像データ３０９（第３及び第４の実施の形態では画像データ６０１，６０２）を、画像処理装置３１２のハードディスク等の記憶媒体に保持し、或いは画像処理装置３１２に接続された別のパーソナルコンピュータ（サーバ等を含む）の記憶媒体に保持し、これを画像処理装置３１２内で処理するようにしても良い。
【００６４】
また、デジタルスチルカメラ３０１から画像処理装置３１２（画像処理装置３１２としてパーソナルコンピュータを用いた場合には、その内部の記憶媒体等）への画像データ３０９の受け渡しについては、上述したように、任意の通信回線や記録媒体または記憶媒体を利用する方法等が適用可能であるが、更に具体的には、例えば、カードリーダやケーブル接続、或いは赤外線通信、或いは無線通信を適用することが可能である。この場合、例えば、デジタルスチルカメラ３０１と画像処理装置３１２とをケーブルで接続、或いは赤外線通信、或いは無線通信で接続し、画像処理装置３１２が、デジタルスチルカメラ３０１が保持するメモリカードや内蔵メモリ等から、直接画像データ３０９を読み込むようにしても良い。
【００６５】
（その他の実施の形態）
以上が本発明の実施の形態の説明であるが、本発明は、これら実施の形態に限られるものではなく、特許請求の範囲で示した機能、または実施の形態の構成が持つ機能を達成できる構成であれば、どのようなものであっても適用可能である。
【００６６】
また、本発明の目的は、前述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても、達成されることは言うまでもない。この場合、記憶媒体から読み出されたプログラムコード自体が本発明の新規な機能を実現することになり、そのプログラムコードを記憶した記憶媒体及びプログラムは本発明を構成することになる。
【００６７】
また、プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６８】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれることは言うまでもない。
【００６９】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれることは言うまでもない。
【図面の簡単な説明】
【００７０】
【図１】第１の実施の形態に係る画像処理システムにおけるフィルム画像撮影系のイメージを示す図である。
【図２】第１の実施の形態に係る画像処理システムにおけるインデックスプリント撮影系のイメージを示す図である。
【図３】第１の実施の形態に係る画像処理システムの構成を示すブロック図である。
【図４】第１の実施の形態に係る画像処理システムにおけるインデックスプリントのコマ画像の一例を示す図である。
【図５】第２の実施の形態に係る画像処理システムの構成を示すブロック図である。
【図６】第３の実施の形態に係る画像処理システムの構成を示すブロック図である。
【図７】第４の実施の形態に係る画像処理システムの構成を示すブロック図である。
【図８】第５の実施の形態に係る画像処理システムの構成を示すブロック図である。
【符号の説明】
【００７１】
３０１  デジタルスチルカメラ（撮影画像記録手段）
３０２  ＡＰＳフィルム（銀塩フィルム）
３０３  インデックスプリント
３０４  ネガポジ反転部
３０５  撮影画像記録部
３０６  撮影画像記録部
３０７  撮影画像サイズ認識部（撮影画像サイズ認識手段）
３０８  撮影画像サイズ記録部（撮影画像サイズ記録手段）
３０９  画像データ
３１０  撮影画像サイズデータ
３１１  撮影画像データ
３１２  画像処理装置
３１３  リーダ部
３１４  データ解析部
３１５  撮影画像サイズ解析部
３１６  撮影画像解析部
３１７  画像処理部（トリミング手段）
３１８  印刷データ変換部
３１９  プリンタ（出力手段）
【図１】
2005341151.tif 000003
【図２】
2005341151.tif 000004
【図３】
2005341151.tif 000005
【図４】
2005341151.tif 000006
【図５】
2005341151.tif 000007
【図６】
2005341151.tif 000008
【図７】
2005341151.tif 000009
【図８】
2005341151.tif 000010